(57)【特許請求の範囲】
【請求項１】
本体に回転可能に支持された軸部を中心に回転移動して本体に設けられた開口部を開閉する開閉部材と、
前記開閉部材の軸部に設けられ、前記軸部と一体に回転する回転部材と、
前記開閉部材が前記開口部を開放したとき及び前記開閉部材が前記開口部を閉止したときの少なくも一方のときに、前記回転部材に設けられた係合部が係合する被係合部を備えた被係合部材と、
一方が前記回転部材に固定され、他方が前記本体に固定され、前記開閉部材の所定の開閉位置から前記回転部材に開放方向のモーメントを発生させ、又は前記開閉部材の所定の開閉位置から前記回転部材に閉止方向のモーメントを発生させると共に、前記係合部を前記被係合部に係合させるように前記回転部材を付勢する付勢部材と、を備え、
前記付勢部材の付勢力は、前記回転部材を回転させるモーメントを発生させる分力と、前記回転部材の回転中心に向って前記回転部材を付勢して前記係合部を前記被係合部に係合させる分力と、を生じさせる開閉部材の開閉機構。
【請求項２】
前記被係合部は凹状とされ、前記係合部は前記被係合部に入り込む凸状とされる請求項１に記載の開閉部材の開閉機構。
【請求項３】
前記回転部材は、凸状の前記係合部が凹状の前記被係合部に入り込む係合方向に移動可能に前記軸部に支持される請求項２に記載の開閉部材の開閉機構。
【請求項４】
前記開閉部材が前記開口部を開放したとき及び前記開閉部材が前記開口部を閉止したときに、前記係合部が前記被係合部に係合し、
一対の前記被係合部の間の前記被係合部材には、前記係合部を前記被係合部へ案内する案内部が設けられる請求項１〜３の何れか１項に記載の開閉部材の開閉機構。
【請求項５】
前記回転部材の回転中心には、円筒状のエンボスが設けられ、前記エンボスには、前記回転部材の回転軸方向に延びるスリットが形成されており、前記開閉部材の軸部には、前記スリットに嵌る板状のリブ部材が設けられる請求項１〜４の何れか１項に記載の開閉部材の開閉機構。
【請求項６】
請求項１〜５の何れか１項に記載された開閉部材の開閉機構を備える容器。
【発明の詳細な説明】
【技術分野】
【０００１】
本発明は、開閉部材の開閉機構、及びこの開閉機構を備えた容器に関する。
【背景技術】
【０００２】
特許文献１に記載のバネ付勢式開閉蓋装置では、２つのバネを用いることで開閉部材の開閉動作のときに必要な開閉力を軽減するようになっている。
【先行技術文献】
【特許文献】
【０００３】
【特許文献１】実開昭６３−１６９３９号公報
【発明の概要】
【発明が解決しようとする課題】
【０００４】
しかしながら、従来の構成によると、２つのバネ部材を用いていたため、高価な構成となっていた。
【０００５】
本発明の課題は、安価な構造で、開閉部材の開閉動作に必要な開閉力を軽減すると共に、開閉部材の開放時又は閉止時に、開閉部材をその状態に保持することである。
【課題を解決するための手段】
【０００６】
本発明の請求項１に係る開閉部材の開閉機構は、本体に回転可能に支持された軸部を中心に回転移動して本体に設けられた開口部を開閉する開閉部材と、前記開閉部材の軸部に設けられ、前記軸部と一体に回転する回転部材と、前記開閉部材が前記開口部を開放したとき及び前記開閉部材が前記開口部を閉止したときの少なくも一方のときに、前記回転部材に設けられた係合部が係合する被係合部を備えた被係合部材と、一方が前記回転部材に固定され、他方が前記本体に固定され、前記開閉部材の所定の開閉位置から前記回転部材に開放方向のモーメントを発生させ、又は前記開閉部材の所定の開閉位置から前記回転部材に閉止方向のモーメントを発生させると共に、前記係合部を前記被係合部に係合させるように前記回転部材を付勢する付勢部材と、を備え、前記付勢部材の付勢力は、前記回転部材を回転させるモーメントを発生させる分力と、前記回転部材の回転中心に向って前記回転部材を付勢して前記係合部を前記被係合部に係合させる分力と、を生じさせることを特徴とする。
【０００７】
上記構成によれば、本体に回転可能に支持された軸部を中心に回転移動する開閉部材は、本体に設けられた開口部を開閉する。さらに、回転部材が、開閉部材の軸部と一体に回転する。そして、開閉部材が開口部を開放したとき及び開閉部材が開口部を閉止したときの少なくも一方のときに、回転部材に設けられた係合部が、被係合部材に備えられた被係合部と係合する。
【０００８】
さらに、一方が回転部材に固定され、他方が本体に固定された付勢部材は、開閉部材の所定の開閉位置から回転部材に開放方向のモーメントを発生させ、又は開閉部材の所定の開閉位置から回転部材に閉止方向のモーメントを発生させると共に、係合部を被係合部に係合させるように回転部材を付勢する。
【０００９】
このように、回転部材に開放方向又は閉止方向のモーメントを作用させる付勢部材が、係合部を被係合部に係合させるように回転部材を付勢することで、安価な構造で、開閉部材の開閉動作に必要な開閉力を軽減すると共に、開閉部材の開放時又は閉止時に、開閉部材をその状態に保持することができる。
また、付勢部材の付勢力は、回転部材を回転させるモーメントを発生させる分力と、回転部材の回転中心に向って回転部材を付勢して係合部を被係合部に係合させる分力と、を生じさせる。このように、付勢部材の付勢力の分力により、回転部材を回転させると共に、係合部を被係合部に係合することができる。
【００１０】
本発明の請求項２に係る開閉部材の開閉機構は、請求項１に記載において、前記被係合部は凹状とされ、前記係合部は前記被係合部に入り込む凸状とされることを特徴とする。
【００１１】
上記構成によれば、凸状とされた係合部を凹状とされた被係合部と係合させることで、開閉部材の開放時と閉止時に、開閉部材をその状態に保持することができる。
【００１２】
本発明の請求項３に係る開閉部材の開閉機構は、請求項２に記載において、前記回転部材は、凸状の前記係合部が凹状の前記被係合部に入り込む係合方向に移動可能に前記軸部に支持されることを特徴とする。
【００１３】
上記構成によれば、回転部材は、凸状の係合部が凹状の被係合部に入り込む係合方向に移動可能に軸部に支持される。このため、回転部材を係合方向に対して反対方向に移動させることで、係合部と被係合部の係合状態を解除することができる。
【００１４】
本発明の請求項４に係る開閉部材の開閉機構は、請求項１〜３の何れか１項において、前記開閉部材が前記開口部を開放したとき及び前記開閉部材が前記開口部を閉止したときに、前記係合部が前記被係合部に係合し、一対の前記被係合部の間の前記被係合部材には、前記係合部を前記被係合部へ案内する案内部が設けられることを特徴とする。
【００１５】
上記構成によれば、一対の被係合部の間に設けられた案内部が、回転移動する回転部材に設けられた係合部を被係合部へ案内する。
【００１６】
このように、係合部を被係合部へ案内する案内部を設けることで、確実に係合部を被係合部に係合させることができる。
【００１９】
本発明の請求項５に係る開閉部材の開閉機構は、請求項１〜４の何れか１項において、前記回転部材の回転中心には、円筒状のエンボスが設けられ、前記エンボスには、前記回転部材の回転軸方向に延びるスリットが形成されており、前記開閉部材の軸部には、前記スリットに嵌る板状のリブ部材が設けられることを特徴とする。
【００２０】
上記構成によれば、開閉部材の軸部に設けられたリブ部材が、回転部材の回転中心に設けられるエンボスに形成されたスリットに嵌っている。このようにリブ部材をスリットに嵌めることで、軸部の回転力を確実に回転部材に伝達することができる。
【００２１】
本発明の請求項６に係る容器は、請求項１〜５の何れか１項に記載された開閉部材の開閉機構を備えることを特徴とする。
【００２２】
上記構成によれば、容器には、請求項１〜５の何れか１項に記載された開閉部材の開閉機構が設けられている。このため、安価な構成で、容器に設けられた開閉部材の開閉動作に必要な開閉力を軽減すると共に、開閉部材の開放時又は閉止時に、開閉部材をその状態に保持することができる。
【発明の効果】
【００２３】
本発明によれば、安価な構造で、開閉部材の開閉動作に必要な開閉力を軽減すると共に、開閉部材の開放時又は閉止時に、開閉部材をその状態に保持することができる。
【図面の簡単な説明】
【００２４】
【図１】本発明の第１実施形態に係る開閉機構及びカップホルダーを示した斜視図である。
【図２】本発明の第１実施形態に係る開閉機構及びカップホルダーを示した側面図である。
【図３】本発明の第１実施形態に係る開閉機構及びカップホルダーを示した斜視図である。
【図４】本発明の第１実施形態に係る開閉機構及びカップホルダーを示した側面図である。
【図５】本発明の第１実施形態に係る開閉機構及びカップホルダーを示した斜視図である。
【図６】本発明の第１実施形態に係る開閉機構及びカップホルダーを示した側面図である。
【図７】本発明の第１実施形態に係る開閉機構及びカップホルダーを示した斜視図である。
【図８】本発明の第１実施形態に係る開閉機構及びカップホルダーを示した側面図である。
【図９】本発明の第１実施形態に係る開閉機構及びカップホルダーを示した斜視図である。
【図１０】本発明の第１実施形態に係る開閉機構及びカップホルダーを示した側面図である。
【図１１】（Ａ）（Ｂ）（Ｃ）（Ｄ）（Ｅ）本発明の第１実施形態に係る開閉機構に採用された係合部及び被係合部等を示した動作図である。
【図１２】本発明の第１実施形態に係る開閉機構及びカップホルダーを示した分解斜視図である。
【図１３】本発明の第１実施形態に係るカップホルダーが採用された自動車内を示した斜視図である。
【図１４】本発明の第２実施形態に係る開閉機構及びカップホルダーを示した側面図である。
【図１５】本発明の第２実施形態に係る開閉機構及びカップホルダーを示した側面図である。
【図１６】本発明の第２実施形態に係る開閉機構及びカップホルダーを示した側面図である。
【図１７】本発明の第２実施形態に係る開閉機構及びカップホルダーを示した側面図である。
【図１８】本発明の第２実施形態に係る開閉機構及びカップホルダーを示した側面図である。
【図１９】本発明の第２実施形態に係る開閉機構及びカップホルダーを示した分解斜視図である。
【発明を実施するための形態】
【００２５】
本発明の第１実施形態に係る開閉部材の開閉機構及び容器の一例について図１〜図１３に従って説明する。なお、図中に示すＵＰは、鉛直方向上方を示す。
【００２６】
（全体構成）
図１３に示されるように、開閉部材の開閉機構１０（図１２参照）が採用された容器の一例としてのカップホルダー１２は、自動車のセンターコンソール１４の下方であってシフトレバー１６の前方に配置されており、カップホルダー１２の不使用時に開口部２２（図７参照）を閉止する開閉部材１８と開閉部材が支持される本体２０（図１２参照）とを備えて構成されている。
【００２７】
（要部構成）
図１２に示されるように、本体２０は、上方に開口部２２を備える箱状とされている。さらに、開閉部材１８は、本体２０の開口部２２を閉止する蓋部２４と、蓋部２４の両側端に連結され、本体２０の内部に入り込む一対の側板部２６と、を備えて構成されている。
【００２８】
また、この側板部２６には、開閉部材１８の回転中心を構成する軸部３０が設けられ、この軸部３０の四方向には、軸部３０を補強するように板状のリブ部材３２が設けられている。さらに、リブ部材３２の外側（軸部３０に対して反対側）には、段差状の段部３２Ａが形成されている。
【００２９】
一方、本体２０を構成する側板３６には、開閉部材１８に設けられた軸部３０が挿通すると共に、リブ部材３２の段部３２Ａが当接する円孔３８が形成されている。さらに、円孔３８に挿通された軸部３０に接合される回転部材の一例としてのアーム部材４０が設けられている。
【００３０】
アーム部材４０は、長尺状とされて軸部３０が挿通する長孔４２Ａが形成されたアーム部４２と、アーム部４２の内側（開閉部材１８側）に設けられ、長孔４２Ａに挿通された軸部３０を囲む円筒状のエンボス４４と、を備えている。さらに、エンボス４４には、軸部３０の周りに形成されたリブ部材３２が嵌りこむスリット４４Ａが形成されている。そして、このアーム部材４０を軸部３０に固定するスクリュー４６が設けられている。
【００３１】
この構成により、このアーム部材４０は長孔４２Ａの長手方向に沿って移動可能となり、さらに、開閉部材１８を本体２０に対して開閉させると、開閉部材１８の開閉動作と一体にアーム部材４０が回転するようになっている。
【００３２】
また、このアーム部材４０のアーム部４２の長手方向の一端には、凸状の係合部４２Ｂが設けられており、他端部には後述する付勢部材の一例としてのバネ部材５０の一端が固定される円孔４２Ｃが設けられている。
【００３３】
さらに、アーム部４２に設けられた係合部４２Ｂと係合する凹状の被係合部５２Ａ、５２Ｂを備えた被係合部材５２が、本体２０の側板３６に一体的に形成されている。
【００３４】
詳細には、被係合部材５２には、開閉部材１８が開口部２２を閉止したときに、係合部４２Ｂが嵌る被係合部５２Ａ（図１、図２参照）と、開閉部材１８が開口部２２を開放したときに、係合部４２Ｂが嵌る被係合部５２Ｂ（図９、図１０参照）と、開閉部材１８の開閉動作時に、係合部４２Ｂを被係合部５２Ａ、５２Ｂへ案内する円弧状の案内部５２Ｃ（図５、図６参照）と、を備えている。
【００３５】
また、アーム部４２の長手方向の他端部に設けられた円孔４２Ｃに一端が固定されたバネ部材５０はコイル状に形成され、バネ部材５０の他端を支持するエンボス５６が、本体２０の側板３６に形成されている。そして、バネ部材５０の他端を支持したエンボス５６にスクリュー５８を締め込むことでバネ部材５０の他端がエンボス５６に固定されるようになっている。
【００３６】
また、エンボス５６のアーム部材４０に対する配置位置は、バネ部材５０の付勢力が、アーム部材４０を回転させるモーメントを発生させる分力と、アーム部材４０の回転中心に向ってアーム部材４０を付勢して係合部４２Ｂを被係合部５２Ａ、５２Ｂに係合させる分力と、を生じさせるように決められている。
【００３７】
詳細には、図２に示されるように、開閉部材１８が開口部２２を閉止するときは、バネ部材５０の付勢力Ｆは、アーム部材４０の回転中心に向ってアーム部材４０を付勢して係合部４２Ｂを被係合部５２Ａに係合させる分力Ｆ１と、アーム部材４０を開閉部材１８の閉方向（図６に示す矢印Ｂ方向：以下単に閉方向と言う）に回転させるモーメントを発生させる分力Ｆ２と、を生じさせる。なお、この状態で、アーム部材４０がこの位置より閉方向に移動しないように、側板３６には、アーム部４２と当るリブ部材６２が設けられている。
【００３８】
また、図６に示されるように、バネ部材５０の付勢力Ｆがアーム部材４０の回転中心に向っている開閉部材１８の所定の開閉位置では、アーム部材４０を開閉部材１８の開閉方向に回転させるモーメントを発生させる分力Ｆ２が、発生しないようになっている（所謂デットポイント）。
【００３９】
さらに、図１０に示されるように、開閉部材１８が開口部２２を開放するときは、バネ部材５０の付勢力Ｆは、アーム部材４０の回転中心に向ってアーム部材４０を付勢して係合部４２Ｂを被係合部５２Ｂに係合させる分力Ｆ１と、アーム部材４０を開閉部材１８の開方向（図６に示す矢印Ａ方向：以下単に開方向と言う）に回転させるモーメントを発生させる分力Ｆ２と、を生じさせる。なお、この状態で、アーム部材４０がこの位置より開方向に移動しないように、側板３６には、アーム部４２と当るリブ部材６４が設けられている。
【００４０】
以上より、図２に示す開閉部材１８の閉止位置から図６に示す開閉部材１８の所定の開閉位置（所謂デットポイント）までの間では、バネ部材５０の分力Ｆ２により、アーム部材４０を閉方向に回転させるモーメントが発生している。これに対し、図１０に示す開閉部材１８の開放位置から図６に示す開閉部材１８の所定の開閉位置（所謂デットポイント）までの間では、バネ部材５０の分力Ｆ２により、アーム部材４０を開方向に回転させるモーメントが発生している。
【００４１】
（作用・効果）
先ず、閉止位置に配置された開閉部材１８を開放させる動作について説明する。
【００４２】
図１、図２に示されるように、開閉部材１８の閉止位置では、開閉部材１８が本体２０の開口部２２を閉止しており、バネ部材５０の付勢力Ｆの分力Ｆ１が、アーム部材４０の回転中心に向ってアーム部材４０を付勢して係合部４２Ｂを被係合部５２Ａに係合させている。これにより、開閉部材１８は閉止位置で保持されている。そして、図１１（Ａ）に示されるように、アーム部４２の長孔４２Ａに挿入された軸部３０は、長孔４２Ａの一端部に配置される。
【００４３】
図３、図４に示されるように、ユーザがカップホルダー１２を使用しようとして、開閉部材１８を開方向へ回転移動させようとすると、リブ部材３２にエンボス４４（図１２参照）が押されてアーム部材４０が開閉部材１８と一体に回転する。アーム部材４０が回転することで、係合部４２Ｂを構成する傾斜面が、被係合部５２Ａを構成する傾斜面を押圧することで、アーム部４２が非係合方向に移動し、アーム部４２の長孔４２Ａに挿入された軸部３０は、長孔４２Ａの一端部から他端部に移動する（図１１（Ｂ）参照）。これにより、係合部４２Ｂと被係合部５２Ａとの係合が解除され、係合部４２Ｂは被係合部材５２の案内部５２Ｃへ移行する。
【００４４】
図５、図６に示されるように、係合部４２Ｂが案内部５２Ｃに案内され、バネ部材５０の付勢力Ｆがアーム部材４０の回転中心に向うまで、ユーザは開閉部材１８を開放させる。この状態では、アーム部材４０には、アーム部材４０を回転させるモーメントが発生していないため、開閉部材１８はこの所定の開閉位置（以下停止位置と言う）で停止する。そして、図１１（Ｃ）に示されるように、アーム部材４０がバネ部材５０の付勢力によって軸部３０に向って付勢されることで、アーム部４２の長孔４２Ａに挿入された軸部３０は、長孔４２Ａの一端部に移動する。
【００４５】
図７、図８に示されるように、ユーザが停止位置の開閉部材１８を開方向へ回転移動させると、バネ部材５０に分力Ｆ２が生じる。この分力Ｆ２が、アーム部材４０に開閉部材１８の開方向に回転させるモーメントを発生させる。これにより、操作力が軽減された（又は無くなった）状態で、係合部４２Ｂが案内部５２Ｃに案内され、開閉部材１８が開方向へ回転移動する。そして、図１１（Ｄ）に示されるように、係合部４２Ｂが案内部５２Ｃにより軸部３０に向って押圧されることで、アーム部４２の長孔４２Ａに挿入された軸部３０は、長孔４２Ａの他端部に移動する。
【００４６】
図９、図１０に示されるように、開口部２２が開放された開閉部材１８が開放位置に移動すると、バネ部材５０の付勢力Ｆの分力Ｆ１が、アーム部材４０の回転中心に向ってアーム部材４０を付勢して係合部４２Ｂを被係合部５２Ｂに係合させている。これにより、開閉部材１８は開放位置で保持されている。そして、図１１（Ｅ）に示されるように、アーム部４２の長孔４２Ａに挿入された軸部３０は、長孔４２Ａの一端部に移動する。
【００４７】
次ぎに、開放位置に配置された開閉部材１８を閉止させる動作について説明する。
【００４８】
図９、図１０に示されるように、開閉部材１８の開放位置では、開閉部材１８が本体２０の開口部２２を開放しており、バネ部材５０の付勢力Ｆの分力Ｆ１が、アーム部材４０の回転中心に向ってアーム部材４０を付勢して係合部４２Ｂを被係合部５２Ｂに係合させている。これにより、開閉部材１８は開放位置で保持されている。そして、図１１（Ｅ）に示されるように、アーム部４２の長孔４２Ａに挿入された軸部３０は、長孔４２Ａの一端部に配置される。
【００４９】
図７、図８に示されるように、ユーザがカップホルダー１２を収納しようとして、開閉部材１８を閉方向へ回転移動させようとすると、リブ部材３２にエンボス４４（図１２参照）が押されてアーム部材４０が開閉部材１８と一体に回転する。アーム部材４０が回転することで、係合部４２Ｂを構成する傾斜面が、被係合部５２Ｂを構成する傾斜面を押圧することで、アーム部４２が非係合方向に移動し、アーム部４２の長孔４２Ａに挿入された軸部３０は、長孔４２Ａの一端部から他端部に移動する（図１１（Ｄ）参照）。これにより、係合部４２Ｂと被係合部５２Ｂとの係合が解除され、係合部４２Ｂは被係合部材５２の案内部５２Ｃへ移行する。
【００５０】
図５、図６に示されるように、係合部４２Ｂが案内部５２Ｃに案内され、バネ部材５０の付勢力Ｆがアーム部材４０の回転中心に向うまで、ユーザは開閉部材１８を閉止させる。この状態では、アーム部材４０には、アーム部材４０を回転させるモーメントが発生していないため、開閉部材１８はこの停止位置で停止する。そして、図１１（Ｃ）に示されるように、アーム部材４０がバネ部材５０の付勢力によって軸部３０に向って付勢されることで、アーム部４２の長孔４２Ａに挿入された軸部３０は、長孔４２Ａの一端部に移動する。
【００５１】
図３、図４に示されるように、ユーザが停止位置の開閉部材１８を閉方向へ回転移動させると、バネ部材５０に分力Ｆ２が生じる。この分力Ｆ２が、アーム部材４０に開閉部材１８の閉方向に回転させるモーメントを発生させる。これにより、操作力が軽減された（又は無くなった）状態で、係合部４２Ｂが案内部５２Ｃに案内され、開閉部材１８が閉方向へ回転移動する。そして、図１１（Ｂ）に示されるように、係合部４２Ｂが案内部５２Ｃにより軸部３０に向って押圧されることで、アーム部４２の長孔４２Ａに挿入された軸部３０は、長孔４２Ａの他端部に移動する。
【００５２】
図１、図２に示されるように、開口部２２が閉止されて開閉部材１８が閉止位置に移動すると、バネ部材５０の付勢力Ｆの分力Ｆ１が、アーム部材４０の回転中心に向ってアーム部材４０を付勢して係合部４２Ｂを被係合部５２Ｂに係合させている。これにより、開閉部材１８は閉止位置で保持されている。そして、図１１（Ａ）に示されるように、アーム部４２の長孔４２Ａに挿入された軸部３０は、長孔４２Ａの一端部に移動する。
【００５３】
以上説明したように、バネ部材５０の付勢力Ｆが、アーム部材４０の回転中心に向ってアーム部材４０を付勢して係合部４２Ｂを被係合部５２Ａに係合させる分力Ｆ１と、アーム部材４０を回転させるモーメントを発生させる分力Ｆ２と、を生じさせることで、安価な構造で、開閉部材１８の開閉動作に必要な開閉力を軽減すると共に、開閉部材１８を開放位置と閉止位置に保持することができる。
【００５４】
また、係合部４２Ｂを凸状とし、被係合部５２Ａ、５２Ｂを凹状とすることで確実に係合部４２Ｂと被係合部５２Ａ、５２Ｂとを係合させることで、開閉部材１８を開放位置と閉止位置に保持することができる。
【００５５】
また、軸部３０を長孔４２Ａに挿通することでアーム部材４０は、凸状の係合部４２Ｂが凹状の被係合部５２Ａ、５２Ｂに入り込む係合方向に移動可能に軸部３０に支持される。このため、係合部４２Ｂを係合方向に対して反対方向に移動させることで、係合部４２Ｂと被係合部５２Ａ、５２Ｂとの係合状態を容易に解除することができる。
【００５６】
また、一対の被係合部５２Ａ、５２Ｂの間に設けられた案内部５２Ｃが、アーム部４２に設けられた係合部４２Ｂを被係合部５２Ａ、５２Ｂへ案内するため、確実に係合部４２Ｂを被係合部５２Ａ、５２Ｂに係合させることができる。
【００５７】
また、開閉部材１８の軸部３０に設けられたリブ部材３２をアーム部材４０の回転中心に設けられるエンボス４４に形成されたスリット４４Ａに嵌めることで、軸部３０の回転力を確実にアーム部材４０に伝達することができる。
【００５８】
次ぎに、本発明の第２実施形態に係る開閉部材の開閉機構及び容器の一例について図１４〜図１９に従って説明する。なお、第１実施形態と同一部材については、同一符号を付してその説明を省略する。
【００５９】
図１９に示されるように、本第２実施形態の開閉機構７８の係合部８０は、アーム部４２の端部には設けられておらず、アーム部４２に設けられた長孔４２Ａと円孔４２Ｃとの間であって、本体２２の側板３６側に突出するように設けられている。
【００６０】
詳細には、側方（開閉部材１８の回転軸方向）から見て、係合部８０は、三角形状とされ、その頂点と係合する被係合部８４Ａ、８４Ｂを備えた被係合部材８４が側板３６に設けられている。さらに、一対の被係合部８４Ａ、８４Ｂの間には、係合部８０を被係合部８４Ａ、８４Ｂへ案内する案内部８４Ｃが設けられている。
【００６１】
以上の構成により、図１４に示されるように、開閉部材１８が閉止位置に配置されるときには、係合部８０が被係合部８４Ａに係合され、開閉部材１８が閉止位置に保持される。また、図１５、図１６、図１７に示されるように、開閉部材１８を開放しようとすると、係合部８０は、案内部８４Ｃに案内される。
【００６２】
さらに、図１８に示されるように、開閉部材１８が開放位置に移動すると、係合部８０が被係合部８４Ｂに係合され、開閉部材１８が開放位置に保持される。なお、開放位置に配置される開閉部材１８を閉止位置へ移動する際は、前述した動作に対して反対の動作によって開放部材１８を閉止位置へ移動させることができる。
【００６３】
以上説明したように、係合部をアーム部４２の端部に設ける場合と比較して、係合部８０を長孔４２Ａと円孔４２Ｃとの間に設けることで、開閉部材１８の開閉機構７８をコンパクトにすることができる。
【符号の説明】
【００６４】
１０        開閉機構
１２        カップホルダー（容器）
１８        開閉部材
２０        本体
２２        開口部
３０        軸部
３２        リブ部材（リブ）
４０        アーム部材（回転部材）
４２Ｂ      係合部
４４        エンボス
４４Ａ      スリット
５０        バネ部材（付勢部材）
５２        被係合部材
５２Ａ      被係合部
５２Ｂ      被係合部
５２Ｃ      案内部
７８        開閉機構
８０        係合部
８４        被係合部材
８４Ａ      被係合部
８４Ｂ      被係合部
８４Ｃ      案内部
【図１】
0005453133.tif 000002
【図２】
0005453133.tif 000003
【図３】
0005453133.tif 000004
【図４】
0005453133.tif 000005
【図５】
0005453133.tif 000006
【図６】
0005453133.tif 000007
【図７】
0005453133.tif 000008
【図８】
0005453133.tif 000009
【図９】
0005453133.tif 000010
【図１０】
0005453133.tif 000011
【図１１】
0005453133.tif 000012
【図１２】
0005453133.tif 000013
【図１３】
0005453133.tif 000014
【図１４】
0005453133.tif 000015
【図１５】
0005453133.tif 000016
【図１６】
0005453133.tif 000017
【図１７】
0005453133.tif 000018
【図１８】
0005453133.tif 000019
【図１９】
0005453133.tif 000020